(57)【要約】【課題】  清涼感や通気性に富むとともに適度なマッサージ効果を奏し、しかも歩行時に滑り難く敷面を傷つけない茣蓙状の敷物を提供する。【解決手段】  多数の竹製のピース１１を縦横に配列し、各ピース１１の列間に軟質のポリエステル製の間隔保持部材１３を介在し、ピース１１と間隔保持部材１３に紐孔を貫通し、ピース１１の紐孔と間隔保持部材１３の紐孔にナイロン製の紐材１９を通してそれぞれを連結する。間隔保持部材１３の下部には脚部１５を断面逆Ｔ型となるように一体的に成形し、外周に位置するピース１１の外端には間隔保持部材１３と同じ材質の枠部材１６を設け、枠部材１６の下部に脚部１８を断面Ｌ型となるように一体的に成形し、紐材１９で連結する。【選択図】図３
0003131427.tif 000002
【実用新案登録請求の範囲】
【請求項１】
多数のピースを所定間隔おいて縦横に配列し、各ピースの列間に間隔保持部材を介在し、ピースと間隔保持部材に紐孔を貫通し、ピースの紐孔と間隔保持部材の紐孔に紐材を通してそれぞれを連結した茣蓙状の敷物において、間隔保持部材の下部に防滑性を有する材質で構成した脚部をピースが敷面と接地しないように形成したことを特徴とする、敷物。
【請求項２】
間隔保持部材の脚部が弾性を有するものである、請求項１記載の敷物。
【請求項３】
脚部が、間隔保持部材と一体的に成形したもの又は間隔保持部材とは別体のものである、請求項１又は２記載の敷物。
【請求項４】
外側に位置するピースの外端を枠部材で囲み、枠部材の下部に防滑性を有する材質で構成した脚部をピースが敷面と接地しないように形成した、請求項１〜３いずれか記載の敷物。
【請求項５】
枠部材の脚部が弾性を有するものである、請求項４記載の敷物。
【請求項６】
多数のピースを所定間隔おいて縦横に並列し、各ピースの列間に間隔保持部材を介在し、ピースと間隔保持部材に紐孔を貫通し、ピースの紐孔と間隔保持部材の紐孔に紐材を通してそれぞれを連結した茣蓙状の敷物において、間隔保持部材の下部に防滑性及び弾性を有する材質で構成した脚部をピースが敷面と接地しないように一体的に成形し、外側に位置するピースの外端を枠部材で囲み、枠部材の下部に防滑性及び弾性を有する材質で構成した脚部をピースが敷面と接地しないように形成したことを特徴とする、敷物。
【考案の詳細な説明】
【技術分野】
【０００１】
本考案は、茣蓙状の敷物に関する。
【背景技術】
【０００２】
従来、茣蓙状の敷物が特許文献１に開示されている。この技術は、多数のピースを所定間隔おいて縦横に配列し、各ピースの列間に間隔保持部材を介在し、ピースと間隔保持部材に紐孔を貫通し、ピースの紐孔と間隔保持部材の紐孔に紐材を通してそれぞれを連結したことを特徴とし、清涼感や通気性に富み、適度なマッサージ効果を奏するというものである。
【０００３】
ところで、前記技術はピースが敷面に接触するから、敷面が例えばフローリングなど硬い場合は歩行時に滑りやすく危険であった。また、歩行時にピースが動きやすいから、敷面を傷つけることがあった。
【特許文献１】特開平９−２８９９３５号公報
【考案の開示】
【考案が解決しようとする課題】
【０００４】
本考案が解決しようとする課題は、従来のこれらの問題点を解消し、清涼感や通気性に富むとともに適度なマッサージ効果を奏し、しかも歩行時に滑り難く敷面を傷つけない茣蓙状の敷物を提供することにある。
【課題を解決するための手段】
【０００５】
かかる課題を解決した本考案の構成は、
１）  多数のピースを所定間隔おいて縦横に配列し、各ピースの列間に間隔保持部材を介在し、ピースと間隔保持部材に紐孔を貫通し、ピースの紐孔と間隔保持部材の紐孔に紐材を通してそれぞれを連結した茣蓙状の敷物において、間隔保持部材の下部に防滑性を有する材質で構成した脚部をピースが敷面と接地しないように形成したことを特徴とする、敷物
２）  間隔保持部材の脚部が弾性を有するものである、前記１）記載の敷物
３）  脚部が、間隔保持部材と一体的に成形したもの又は間隔保持部材とは別体のものである、前記１）又は２）記載の敷物
４）  外側に位置するピースの外端を枠部材で囲み、枠部材の下部に防滑性を有する材質で構成した脚部をピースが敷面と接地しないように形成した、前記１）〜３）いずれか記載の敷物
５）  枠部材の脚部が弾性を有するものである、前記４）記載の敷物
６）  多数のピースを所定間隔おいて縦横に並列し、各ピースの列間に間隔保持部材を介在し、ピースと間隔保持部材に紐孔を貫通し、ピースの紐孔と間隔保持部材の紐孔に紐材を通してそれぞれを連結した茣蓙状の敷物において、間隔保持部材の下部に防滑性及び弾性を有する材質で構成した脚部をピースが敷面と接地しないように一体的に成形し、外側に位置するピースの外端を枠部材で囲み、枠部材の下部に防滑性及び弾性を有する材質で構成した脚部をピースが敷面と接地しないように形成したことを特徴とする、敷物
にある。
【考案の効果】
【０００６】
本考案によれば、敷物を敷面に敷いた際にピースが防滑性の材質で構成した脚部で敷面から所定高さに支持された状態となるから、歩行時に滑り難く安全であり、また、歩行時にピースが動いても敷面と接触しないから敷面を傷つけることがない。特に、脚部に弾性を有するものを用いたものは、歩行時の衝撃が緩和されて歩行音が静音となり、歩行感も良好なものとなる。
【考案を実施するための最良の形態】
【０００７】
本考案の脚部としては、防滑性を有するポリエステル・ウレタン・ゴム等が用いられる。間隔保持部材は脚部と同じ材質のものが用いられ、別体のもの又は一体的に成形したものがあり任意に選ばれる。ピースは薄板状や小球状で、竹製・木製・プラスチック製・石製・セラミックス製などが意匠やコストに応じて選ばれる。紐材としては、釣り糸に使用されるナイロン製のものなど引っ張り強度を有するものが用いられる。以下、本考案の実施例を図面に基づいて具体的に説明する。
【実施例１】
【０００８】
図１〜３に示す実施例は、間隔保持部材と脚部が一体的に成形された敷物の例である。図１は実施例の敷物の一部切り欠き平面図、図２は実施例の敷物の底面図、図３は実施例の敷物の断面図である。図中、１０は敷物、１１はピース、１２は紐孔、１３は間隔保持部材、１４は紐孔、１５は脚部、１６は枠部材、１７は紐孔、１８は脚部、１９は紐材、Ｆは敷面である。
【０００９】
本実施例の敷物１０は、図１〜３に示すように多数の竹製のピース１１を縦横に配列し、各ピース１１の短手側の列間に軟質のポリエステルからなる間隔保持部材１３を介在し、ピース１１と間隔保持部材１３に紐孔１２，１４を貫通し、ピース１１の紐孔１２と間隔保持部材１３の紐孔１４にナイロンからなる透明の紐材１９を通してそれぞれを連結している。ピース１１の寸法は幅２０ｍｍ、長さ４０ｍｍ、厚さ５ｍｍで、間隔保持部材１３の幅は２ｍｍで、敷物１０の全体寸法は５０ｃｍ×８４ｃｍである。
【００１０】
間隔保持部材１３の下部には脚部１５を断面逆Ｔ型となるように一体的に成形している。外周に位置するピース１１の外端には間隔保持部材１３と同じ材質の枠部材１６で囲み、枠部材１６の下部に脚部１８を断面Ｌ型となるように一体的に成形し、紐材１９で連結している。脚部１５，１８の厚さは１ｍｍである。
【００１１】
この敷物１０を敷面Ｆに敷き、その上を歩行者が歩行すると、体重が作用してもピース１１の端部が脚部１５，１８で敷面Ｆからおよそ１ｍｍの高さに支持される。したがって、脚部１５，１８の防滑性により歩行時に滑り難く安全なものとなり、また、歩行時にピース１１が動いても敷面Ｆと接触しないから敷面Ｆを傷つけることがなく、さらに、脚部１５，１８の弾性により歩行時の衝撃が緩和されて歩行音が静音となり、歩行感も良好なものとなった。
【００１２】
図４に示すのは、間隔保持部材に別体の脚部を取り付けた実施例の敷物の他の例である。図４は実施例の他の例の敷物の断面図である。図中、１３ａ，１６ａは溝、１５ａ，１８ａは突起である。図４に示す実施例の他の例では、間隔保持部材１３と枠部材１６の下部に溝１３ａ，１６ａを形成し、別体の脚部１５，１８の上部に突起１５ａ，１８ａを形成し、溝１３ａ，１６ａに突起１５ａ，１８ａを嵌合している。その他、符号、構成、作用効果は実施例と同じである。
【産業上の利用可能性】
【００１３】
本考案の敷物は、主として床用に用いられる。
【図面の簡単な説明】
【００１４】
【図１】実施例の敷物の一部切り欠き平面図である。
【図２】実施例の敷物の底面図である。
【図３】実施例の敷物の断面図である。
【図４】実施例の他の例の敷物の断面図である。
【符号の説明】
【００１５】
１０  敷物
１１  ピース
１２  紐孔
１３  間隔保持部材
１３ａ  溝
１４  紐孔
１５  脚部
１５ａ  突起
１６  枠部材
１６ａ  溝
１７  紐孔
１８  脚部
１８ａ  突起
１９  紐材
Ｆ  敷面
【図１】
0003131427.tif 000003
【図２】
0003131427.tif 000004
【図３】
0003131427.tif 000005
【図４】
0003131427.tif 000006